(57)【特許請求の範囲】
【請求項１】
頭部ウェアラブル・デバイスであって、
概ね横方向にかつ第１の面に沿った弧に延出する中央支持体と、
前記中央支持体の第１の端部から延出するとともに第１の自由端で終端する第１の側部アームと、
前記中央支持体の第２の端部から延出するとともに第２の自由端で終端する第２の側部アームであって、前記中央支持体と第１及び第２の側部アームとは、それぞれ第１及び第２の側部アームに位置する前記第１の自由端と第２の自由端との間に延在するバンドとして構成され、第１及び第２の自由端は前記中央支持体から離れて、第１の距離で互いに離間して、前記バンドは前記第１の距離を選択的に増大させるように弾力的に変形可能である、第２の側部アームと、
ディスプレイ要素を介してユーザーに情報を提示するように構成された延長アームと
を備え、前記延長アームは第１及び第２の部分を含み、前記第２の部分はディスプレイ要素を含み、前記延長アームは前記中央支持体の第１の側における第１の側部アームに少なくとも部分的に沿って延出し、第１の側部アームからディスプレイ端へ更に延出し、そのディスプレイ端は前記中央支持体の前記第１の側における位置に前記ディスプレイ要素を支持し、前記延長アームはその中に、前記ディスプレイ要素の運動のために構成されたジョイントを含み、前記第１及び第２の部分は、前記第１の面に垂直な方向で前記ジョイントを通って延出する軸に対してかつ前記ジョイントで互いに回転可能に取り付けられ、
前記延長アームの前記ジョイントは、前記運動が前記第１の面に実質的に平行な第２の面に沿ってかつ前記軸に対する前記ディスプレイ要素の回転を含むように構成され、
前記第１の側部アームの前記自由端は第２の側部アームの前記自由端に対して拡張されて、この拡張された自由端は、前記ディスプレイ要素により採用された回路と電源との少なくとも一方を収容し、
前記延長アームは、前記第２の側部アームに対面する内面を更に含み、前記デバイスは、前記デバイスの機能を制御するために前記内面に配置されたボタンを更に含み、前記機能は、ロック機能、スリープ機能及び電源状態機能の一つ又は複数である、デバイス。
【請求項２】
請求項１記載のデバイスにおいて、前記ディスプレイ要素の前記回転は、前記中央支持体に対して少なくとも横方向成分を有する方向におけるその平行移動も引き起こすデバイス。
【請求項３】
請求項１記載のデバイスにおいて、対応する可撓性を有する支持アームにより前記中央支持体へ取り付けられた一対の離間したパッドを更に含むデバイス。
【請求項４】
請求項１記載のデバイスにおいて、第１の側部アームは、前記中央支持体よりも比較的により剛であるデバイス。
【請求項５】
請求項１記載のデバイスにおいて、第１の距離を増大させる前記バンドの変形が、前記延長アームを第１の方向へ回転させると共に、前記ジョイントが、第１の方向と反対側の第２の方向への前記ディスプレイ要素の回転を含む運動を可能にするように構成されているデバイス。
【請求項６】
請求項１記載のデバイスにおいて、前記バンドが、１．２ Ｎの最大力の下で少なくとも４０％まで第１の距離を増大させるために弾力的に変形するように構成されているデバイス。
【請求項７】
請求項１記載のデバイスにおいて、前記バンドが、約０．６ Ｎの最大力の下で少なくとも５０％まで第１の距離を増大させるために弾力的に変形するように構成されているデバイス。
【請求項８】
請求項１記載のデバイスにおいて、前記バンドは、柔軟な内側部分と弾力的な外側部分とを含み、前記弾力的な外側部分は、実質的に均一な構造であると共に、前記柔軟な内側部分は前記弾力的な外側部分を裏当てしているデバイス。
【請求項９】
請求項１記載のデバイスにおいて、第１の側部アームの前記第１の自由端は第２の側部アームの前記第２の自由端に対して細長くされて非対称のＵ字形状を形成するデバイス。
【請求項１０】
請求項９記載のデバイスにおいて、
前記非対称のＵ字形状は、複数の接点をユーザーの頭部に与え、及び、
第１の側部アームの前記拡張された端部が、前記延長アームに対してバランシング・ウェイトを与えるデバイス。
【請求項１１】
請求項１記載のデバイスにおいて、前記拡張された端部は、外部デバイスを回路と電源との少なくとも一方に接続するための複数の電気的接点を含むデバイス。
【請求項１２】
請求項１１記載のデバイスにおいて、前記電気的接点は、前記拡張された端部の外面と実質的に面一であり、前記外面の一部によって離隔されているデバイス。
【請求項１３】
請求項１記載のデバイスにおいて、前記ジョイントは、前記延長アームの第１と第２の部分とを回転可能に接続し、第１の部分は第１の側部アームへ取り付けられ、かつ、第２の部分は前記ディスプレイ要素を含むデバイス。
【請求項１４】
請求項１３記載のデバイスにおいて、前記延長アームの第２の部分に配置されたカメラを更に含むデバイス。
【請求項１５】
頭部ウェアラブル・デバイスであって、
概ね横方向に延出する中央支持体と、
前記中央支持体の第１の端部から延出するとともに第１の自由端で終端する第１の側部アームと、
前記中央支持体の第２の端部から延出するとともに第２の自由端で終端する第２の側部アームであって、前記中央支持体と第１及び第２の側部アームとは、それぞれ第１及び第２の側部アームに位置する前記第１の自由端と第２の自由端との間に延在するバンドとして構成され、第１及び第２の自由端は前記中央支持体から離れて、第１の距離で互いに離間して、前記バンドは前記第１の距離を選択的に増大させるように弾力的に変形可能である、第２の側部アームと、
ディスプレイ要素を介してユーザーに情報を提示するように構成された延長アームと
を備え、前記延長アームは第１及び第２の部分を含み、前記第２の部分はディスプレイ要素を含み、前記延長アームは前記中央支持体の第１の側における第１の側部アームに少なくとも部分的に沿って延出し、第１の側部アームからディスプレイ端へ更に延出し、そのディスプレイ端は前記中央支持体の前記第１の側における位置に前記ディスプレイ要素を支持し、前記延長アームはその中に、前記ディスプレイ要素の運動のために構成されたジョイントを含み、前記第１及び第２の部分は、第１の面に垂直な方向で前記ジョイントを通って延出する軸に対してかつ前記ジョイントで互いに回転可能に取り付けられ、
前記延長アームの前記ジョイントは、前記運動が前記第１の面に実質的に平行な第２の面に沿ってかつ前記軸に対する前記ディスプレイ要素の回転を含むように構成され、前記軸に対する前記ディスプレイ要素の前記回転は、前記中央支持体に対して少なくとも横方向成分を有する方向におけるその平行移動も引き起こし、
前記第１の側部アームの前記自由端は第２の側部アームの前記自由端に対して拡張されて、この拡張された自由端は、前記ディスプレイ要素により採用された回路と電源との少なくとも一方を収容する、デバイス。
【請求項１６】
請求項１５記載のデバイスにおいて、前記バンドは、柔軟な内側部分と弾力的な外側部分とを含み、前記弾力的な外側部分は、実質的に均一な構造であると共に、前記柔軟な内側部分は前記弾力的な外側部分を裏当てしているデバイス。
【請求項１７】
請求項１５のデバイスにおいて、前記軸に対する前記ディスプレイ要素の前記回転は、前記中央支持体に対して少なくとも横方向成分を有する方向におけるその平行移動も引き起こすデバイス。
【発明の詳細な説明】
【発明の詳細な説明】
【０００１】
関連出願の相互参照
【０００２】
本願は２０１２年３月２１日出願の米国特許出願番号第１３/４２６，０３３号の継続であり、その開示事項は参照によって本明細書に組み込まれている。
背景
【０００３】
個人用ビデオ又は画像ディスプレイは、単独のユーザーによる視聴のために源から受信される画像を表示するのに用いられるデバイスである。そのようなデバイスは、ユーザーの頭部に装着された頭部装着ディスプレイの形態とすることができ、ユーザーの眼の上に又はその前方に一つ以上の画像源を含むことができる。頭部装着ディスプレイは、ユーザー若しくは着用者の各々の眼に隣接かつ関連して配置された画像源を含むことができ、単独の二次元画像として視認可能な同じ画像を呈示するように構成することができる。或いは、或るこのようなデバイスは、異なる立体的な画像を呈示するように構成することができ、これは観察者により、単独の三次元画像として解釈される。ユーザーに呈示される画像の形式に関係なく、そのようなデバイスは通常は明かりを消されている。即ち、これらはスクリーン又はそれに含まれた他の画像源の外側の着用者の視覚を殆ど完全に妨げて、ユーザーは、デバイスのディスプレイ・システムにより呈示された画像以外は何も見ることができない。
【０００４】
他の個人用画像ディスプレイには、ヘッドアップ・ディスプレイと称されるものがあり、これは画像が透明ディスプレイの上、内部、若しくは透明ディスプレイを通じて表示され、これは表示された画像を周囲環境の視野の上に重ね合わせる。これらはその周囲と同時にディスプレイにより呈示された画像をユーザーに見せることを可能とする。しかしながら、そのようなデバイスには、限定された機能性のみならず、それらの着用者に対する適合性及び快適性を含めて、多くの制約がある。
【０００５】
頭部装着及びヘッドアップ・ディスプレイの両方は、ビデオ源へ接続して、これはビデオ信号を受信して、これをデバイスが読み込んで、ユーザーに呈示する画像に変換することができる。ビデオ源は、携帯デバイス、例えばビデオ・プレーヤー、携帯用メディア・プレーヤー又はコンピュータなどから受信することができる。或るこのようなディスプレイ・デバイスは，音声信号を受信するようにも構成されており、これは通常は相関するヘッドフォンによってユーザーへ配信される。しかしながら、これらの種のディスプレイの機能性は、ディスプレイが単に外部源から情報を受信して、これを限定された形態で着用者に呈示するという受動的な行為に制約されている。
概要
【０００６】
本開示事項の態様は、頭部装着可能デバイスに関する。このデバイスは、概ね横方向に延伸する中央支持体と、この中央支持体の第１の端部から延出する第１の側部アームと、中央支持体の第２の端部から延出する第２の側部アームとを含む。このデバイスは、ディスプレイ要素を介してユーザーに情報を呈示するよう構成された延長アームを更に含む。この延長アームは中央支持体の第１の側で第１の側部アームに少なくとも部分的に沿って延伸し、かつ、第１の側部アームからディスプレイ端部へ更に延伸し、そのディスプレイ端部は、ディスプレイ要素を中央支持体の第２の側における位置にディスプレイ要素を支持する。この延長アームは、その中にジョイントを有し、これは、少なくとも、中央支持体に関して横方向成分を有する方向におけるディスプレイ要素の移動のために構成されている。
【０００７】
中央支持体は第１の面に沿って弧状に延伸することができ、かつ、延長アームのジョイントは、運動が第１の面に対して実質的に平行な第２の面におけるディスプレイ要素の回転を含むように構成することができる。そのような例においては、ディスプレイ要素の回転は、中央支持体に関して少なくとも横方向成分を有する方向で、その移転を引き起こすこともできる。
【０００８】
デバイスは、対応する選択的に変形可能な支持アームにより中央支持体に取り付けられて離間された一対のパッドを更に含むことができる。他の例においては、中央支持体並びに第１及び第２の側部アームは、第１及び第２の側部アームにそれぞれ位置する第１と第２との端部の間に延出するバンドとして構成することができ、第１及び第２の端部は中央支持体から離間して、互いに対して第１の距離で間隔を開けられている。そのような例においては、バンドは、第１の距離を選択的に増大するために、弾力的に変形可能である。更なる例においては、第１の側部アームは中央支持体よりも比較的により剛にすることができる。第１の距離を増大させるバンドのそのような変形は、延長アームを第１の方向へ回転させることができ、かつ、ジョイントは、第１の方向とは反対側の第２の方向へのディスプレイの回転を含む運動を可能とするように構成することができる。一つの例において、バンドは、１．２  Ｎの最大力の下で少なくとも４０％まで第１の距離を増大させる弾性変形のために構成することができる。他の例では、バンドは、約０．６  Ｎの最大力の下で約５０％まで第１の距離を増大させるために構成することができる。
【０００９】
バンドは、柔軟な内側部分と弾力的な外側部分とを含むことができる。弾力的外側部分は実質的に均一な構造とすることができ、かつ、柔軟な内側部分は弾力的外側部分に並ぶことができる。更に、第１の側部アームの端部は、非対称なＵ字形状を形成するように、第２の側部アームの自由端に対して伸長させることができる。第１の側部アームの端部は、第２の側部アームの端部に対して更に伸長させることができ、このような伸長された端部は、ディスプレイ・デバイスにより使用されている回路と電源とのうちの少なくとも一方を収容している。非対照Ｕ字形状は、ユーザーの頭部のために複数の接触点を提供することができ、第１の側部アームの拡大された端部は、延長アームに対してバランシング・ウェイトを与えることができる。拡大された端部は、外部デバイスを回路と電源との少なくとも一方へ接続するために、複数の電気的接点を含むことができる。この電気的接点は拡大した端部の外面と実質的に同一平面上とすることができると共に、外面の一部によって分離することができる。
【００１０】
延長アームのジョイントは、延長アームの第１及び第２の部分を回転可能に接続することができる。第１の部分は第１の側部アームへ取り付けることができ、かつ、第２の部分はディスプレイ端部を含むことができる。デバイスは、延長アームの第２の部分に配置されたカメラを更に含むことができる。延長アームは、第２の側部アームに対面する内表面を含むことができ、かつ、このデバイスは、デバイスの機能を制御するために内表面に配置されたボタンを更に含むことができる。ボタンは、照明可能な部分を含むことができ、これを通じて機能に関連した表示灯を視認可能である。
【００１１】
この開示事項の他の態様は装置に関する。この装置は、取り付けられたノーズピースを有する中央支持体を含む。ノーズピースは、ユーザーの鼻に載せられて、中央部分がユーザーの額の上に支持されるように構成されている。この装置は更に、中央フレーム支持体の第１の終端から延出して、第１の耳の近傍でユーザーの頭部の一部に接触するように構成された第１の側部アームと、中央フレーム支持体の第２の終端から延出して、第２の耳の近傍でユーザーの頭部の一部に接触するように構成された第２の側部アームとを含む。この装置は、ディスプレイ要素を介して情報をユーザーに呈示するように構成された延長アームを更に含む。この延長アームは一方の側部アームに少なくとも部分的に沿って延出し、かつ、側部アームからディスプレイ端部へ更に延出してディスプレイ要素を支持して、ユーザーの眼に隣接して位置するようにされている。その延長アームは、その中にジョイントを含んで、ユーザーの視線内でユーザーの眼へ向かって又はそれから離れる方向へディスプレイ要素の回転を可能にする。ジョイントは延長アーム内に配置することができ、ディスプレイ要素の回転はディスプレイの横方行移動を更にもたらす。
【００１２】
中央支持体並びに第１及び第２のアームは、それぞれ第１及び第２のアームに位置する第１と第２との端部の間で延出するバンドとして構成されて、Ｕ字形状を規定する。このようなバンドは、「Ｕ」字形状の拡張によりユーザーの頭部に装着可能なように弾性的に変形可能とすることができる。ディスプレイ要素の回転は、「Ｕ」字形状の拡張に起因するディスプレイ要素の位置の変化を補償するように構成することができる。
【００１３】
本開示事項の他の態様は、ユーザーの頭部に装着されるように構成されたウェアラブル・デバイス・アセンブリに関する。このデバイスは、ディスプレイ要素を介してユーザーに情報を呈示するように構成された延長アームを有するモジュールと、その延長アームから離間したハウジング・ユニットと、このハウジング・ユニットと延長アームとの間に延伸している接続部材とを含む。このアセンブリは保持要素も含み、これは、第１の面に沿って弧状に延伸する中央支持体と、中央フレーム支持体の第１の端部から延出する第１の側部アームと、中央支持体の第２の端部から延出するから取り付けアームとを含む。モジュールは、接続部材を取り付けアームへ取り付けて、中央支持体の第２の端部から延出する第２の側部アームを規定して、延長アームが、中央支持体の第１の側部における第２の側部アームに少なくとも部分的に沿って延出し、側部アームからディスプレイ端部（これはディスプレイ要素を中央支持体の第２の側部における位置に支持する）へ更に延出するようにすることにより、保持要素と共に組み立てられるように構成されている。延長アームはその中にジョイントを含むことができ、第１の面に対して実質的に平行な第２の面でディスプレイ要素の回転を可能とする。
【００１４】
保持要素は、柔軟な内側部分と弾力的な外側部分とを含むことができる。そのような弾力的外側部分は実質的に均一な構造とすることができ、第１の側部アームの外面を規定して、中央支持体の第２の端部から延出して取り付けアームを規定する。一つの例においては、保持要素はノーズピースを含むことができ、これは、モジュールと保持部材とが一緒に組み立てられたとき、ユーザーの鼻に載せるように構成されている。そのような例においては、第１の側部アームは第１の耳の近傍でユーザーの頭部の一部に接触するように構成することができ、第２の側部アームは第２の耳の近傍でユーザーの頭部の一部に接触するように構成することができ、ディスプレイ要素はユーザーの眼に隣接して位置することができる。他の例においては、保持部材は、その中央支持体に取り付けられた第１のレンズと第２のレンズとを含むことができる。そのような第１と第２とのレンズはユーザーのそれぞれの眼の上に位置することができ、組み立てられたとき、ディスプレイ要素は、ユーザーの眼の一方の反対側のレンズの側で延長アームによって支持することができる。
【図面の簡単な説明】
【００１５】
【図１】図１は、データを受信して送信し、及び表示するための例示的なシステムを示す。
【００１６】
【図２】図２は、図１のシステムの別の図を示す。
【００１７】
【図３Ａ】図３Ａは、データを受信して送信し、及び表示するための例示的なシステムを示す。
【００１８】
【図３Ｂ】図３Ｂは、データを受信して送信し、及び表示するための例示的なシステムを示す。
【００１９】
【図４】図４は、データを受信して送信し、及び表示するための例示的なシステムを示す。
【００２０】
【図５】図５Ａ及び図５Ｂは、本開示事項の実施形態によるウェアラブル・コンピュータ・デバイスを示す。
【００２１】
【図６】図６は、図５のデバイスの正面立面図を示す。
【００２２】
【図７】図７は、図５のデバイスをその調節された構成に示す。
【００２３】
【図８】図８は、図５のデバイスをその部分の調節の様々な段階に示す。
【００２４】
【図９】図９は、図５のデバイスをその他の部分の調節の様々な段階中に示す。
【００２５】
【図１０】図１０は、図５のデバイスの分解図をそのモジュラー構成によって示す。
【００２６】
【図１１】図１１は、図５のデバイスの一部を示す。
【００２７】
詳細な説明
本開示事項の実施形態は、図面を参照してここに説明される。図１は、データを受信して送信し、及び表示するための例示的システム１００を図解する。このシステム１００は、ウェアラブル・コンピュータ・デバイスの携帯で示される。図１はウェアラブル・コンピュータ・デバイスの一例として頭部装着型デバイス１０２を図解しているが、他の形式のウェアラブル・コンピュータを付加的に又は代替的に用いることができる。図１に図解されるように、頭部装着型デバイス１０２は、レンズ・フレーム１０４、１０６及び中央フレーム支持体１０８を含むフレーム要素と、レンズ要素１１０、１１２と、延長側部アーム１１４、１１６とを備える。中央フレーム支持体１０８及び延長側部アーム１１４、１１６は、それぞれ、ユーザーの鼻及び耳を介して頭部装着型デバイス１０２をユーザーの顔に固定するように構成されている。
【００２８】
フレーム要素１０４、１０６、及び１０８と延長アーム１１４、１１６との各々は、プラスチック及び／又は金属のソリッド構造から形成し得るか、又は、配線及び相互接続構成要素を頭部装着型デバイス１０２を通じて内部に経由させるように同様な材料の中空構造に形成し得る。他の材料も可能である場合がある。
【００２９】
レンズ要素１１０、１１２の各々の一つ以上は、投影画像又はグラフィックを適切に表示することができる任意の材料から形成し得る。レンズ要素１１０、１１２の各々は、ユーザーがレンズ要素を通じて見ることを可能とするために充分に透明なこともある。レンズ要素のこれら二つの特徴を組み合わせることは、レンズ要素を通じてユーザーにより知覚された実世界の眺望の上に投影画像又はグラフィックが重ね合わせられる拡張現実感又はヘッドアップ表示を促進し得る。
【００３０】
延長アーム１１４、１１６は、各々が突出して、それぞれ、レンズ・フレーム１０４、１０６から離間して延出する場合があり、頭部装着型デバイス１０２をユーザーに固定するために、ユーザーの耳の背後に置かれることがある。延長アーム１１４、１１６は、ユーザーの頭部の後部部分の周りに延伸することにより、頭部装着型デバイス１０２をユーザーへ更に固定し得る。これに加えて又はこれに代えて、例えば、システム１００は頭部装着型ヘルメット構造に接続若しくはその内部に取り付け得る。他の可能性も存在する。
【００３１】
システム１００は、搭載コンピュータ・システム１１８、ビデオ・カメラ１２０、センサー１２２、及び指操作可能なタッチパッド１２４も含み得る。搭載コンピュータ・システム１１８は、頭部装着型デバイス１０２の延長側部アーム１１４に配置されるように示されているが、搭載コンピュータ・システム１１８は頭部装着型デバイス１０２の他の部分に設けられることもあり、或いは、頭部装着型デバイス１０２から離間して配置されることもある（例えば、搭載コンピュータ・システム１１８は頭部装着型デバイス１０２に有線又は無線で接続できる）。搭載コンピュータ・システム１１８は、例えば、プロセッサ及びメモリを含み得る。搭載コンピュータ・システム１１８は、ビデオ・カメラ１２０及び指操作可能なタッチパッド１２４から（及び、おそらくは他の感覚デバイス、ユーザ・インタフェース、又はその両方から）データを受信して解析して、レンズ要素１１０及び１１２の出力のために画像を生成するように構成し得る。
【００３２】
ビデオ・カメラ１２０は、頭部装着型デバイス１０２の延長側部アーム１１４に位置して示されているが、ビデオ・カメラ１２０は、頭部装着型デバイス１０２の他の部分に設け得る。ビデオ・カメラ１２０は、様々な解像度で、又は、異なるフレーム・レートで画像を撮るように構成し得る。小さなフォームファクタを有する多くのビデオ・カメラ、例えば携帯電話又はウェブ・カメラで使われるようなものは、システム１００の一例に組み込み得る。
【００３３】
更に、図１は一つのビデオ・カメラ１２０を図解するが、より多くのビデオ・カメラが使用されることもあり、その各々は同じ視野を撮るか、又は異なる視野を撮るように構成し得る。例えば、ビデオ・カメラ１２０は、前方へ向けられて、ユーザーによって知覚される現実世界の眺望の少なくとも一部を撮らえるようにされることがある。ビデオ・カメラ１２０により撮られたこの前方向き画像は、次いで、コンピュータ生成画像がユーザーによって知覚される現実世界の眺望と相互作用するように見える拡張現実を生成するのに使用し得る。
【００３４】
センサ１２２は、頭部装着型デバイス１０２の延長側部アーム１１６上に示されているが、このセンサ１２２は頭部装着型デバイス１０２の他の部分に配置されることもある。センサ１２２は、例えば、ジャイロスコープ又は加速度計の一つ以上を含むこともある。他の検出デバイスがセンサ１２２内に含められるか又はセンサ１２２に加えられることもあり、或いは他の検知機能がセンサー１２２により実行されることもある。
【００３５】
指操作可能なタッチパッド１２４は、頭部装着型デバイス１０２の延長側部アーム１１４上に示されている。しかしながら、指操作可能なタッチパッド１２４は、頭部装着型デバイス１０２の他の部分に配置されることもある。また、一つより多くの指操作可能なタッチパッドが頭部装着型デバイス１０２に存在することもある。この指操作可能なタッチパッド１２４は、ユーザーによってコマンドを入力するのに用いられ得る。この指操作可能なタッチパッド１２４は、指の位置と動作との少なくとも一方を、幾つかある他の可能性のうち、容量性検知、抵抗検知又は弾性表面波処理を介して検知し得る。この指操作可能なタッチパッド１２４は、指の動作をパッド面に対して平行又は平坦な方向で、パッド面に対して垂線方向で、又はその両方で検知する能力があると共に、パッド面に加えられた圧力のレベルを検知する能力がある場合もある。この指操作可能なタッチパッド１２４は、一つ以上の半透明若しくは透明な絶縁層と、一つ以上の半透明若しくは透明な導電層から形成し得る。この指操作可能なタッチパッド１２４の縁は、隆起した、窪んだ、又は粗くされた２０面を有するように形成されて、ユーザーの指が指操作可能タッチパッド１２４の縁又は他の領域に達したときに、ユーザーに触覚型フィードバックを提供するようにし得る。一つより多くの指操作可能なタッチパッドが存在するならば、各々の指操作可能なタッチパッドは独立して操作されることもあり、異なる機能を提供することもある。
【００３６】
図２は、図１に図解されたシステム１００の代替的な図を示す。図２に示すように、レンズ要素１１０、１１２は、ディスプレイ要素として働き得る。頭部装着型デバイス１０２は、延長側部アーム１１６の内面へ結合されて、レンズ要素１１２の内面に表示１３０を投影するように構成された第１のプロジェクター１２８を含み得る。それに加えて若しくはそれに代えて、第２のプロジェクター１３２を延長側部アーム１１４の内面に結合させて、表示１３４をレンズ要素１１０の内面に投影するように構成されることもある。
【００３７】
レンズ要素１１０、１１２は、光投影システムのコンバイナーの働きをすることがあり、プロジェクター１２８、１３２からそれらに投影される光を反射するコーティングを含み得る。或る実施形態においては、反射コーティングが使用されないこともある（例えば、プロジェクター１２８、１３２がレーザー・デバイスを走査するとき）。
【００３８】
代替的な実施形態においては、他の形式のディスプレイ要素も使用し得る。例えば、レンズ要素１１０、１１２自体は、以下を含み得る。即ち、透明若しくは半透明マトリックス・ディスプレイ、例えば電界発光ディスプレイ又は液晶ディスプレイ、画像をユーザーの眼へ送達するための一つ以上の導波管、又は、ユーザーへ眼の近傍に合焦した画像を送達する能力がある他の光学要素である。そのようなマトリックス・ディスプレイを駆動するために、対応するディスプレイ・ドライバをフレーム要素１０４、１０６内に配置し得る。それに加えて若しくはそれに代えて、レーザー若しくはＬＥＤ源及び走査システムをユーザーの眼の一つ以上の網膜の上に直接にラスター・ディスプレイを描くように用いることができる。他の可能性も存在する。
【００３９】
図３Ａは、データを受信して送信し、及び表示するための例示的システム２００を図解する。このシステム２００は、ウェアラブル・コンピュータ・デバイス２０２の形態で示されている。ウェアラブル・コンピュータ・デバイス２０２は、図１及び２に関して説明したもののようなフレーム要素及び側部アームを含み得る。ウェアラブル・コンピュータ・デバイス２０２は、搭載コンピュータ・システム２０４及びビデオ・カメラ２０６（例えば図１及び２に関して説明したそれらのようなもの）を更に含み得る。ビデオ・カメラ２０６は、ウェアラブル・コンピュータ・デバイス２０２のフレームに装着されて示されているが、このビデオ・カメラ２０６は、他の位置にも装着されることもある。
【００４０】
図３Ａに示すように、ウェアラブル・コンピュータ・デバイス２０２は、このデバイスに結合し得る単独のディスプレイ２０８を含むことがある。このディスプレイ２０８はウェアラブル・コンピュータ・デバイス２０２のレンズ要素の一方、例えば図１及び２に関して説明したレンズ要素に形成されることがあり、コンピュータ生成グラフィックを物理的世界のユーザーの視界に重ね合わせるように構成し得る。このディスプレイ２０８はウェアラブル・コンピュータ・デバイス２０２のレンズの中央に設けられて示されているが、このディスプレイ２０８は他の位置に設けられることもある。このディスプレイ２０８は、光導波管２１０によってディスプレイ２０８へ結合したコンピュータ・システム２０４を介して制御可能である。
【００４１】
図３Ｂは、データを受信して送信して、及び表示するための例示的システム２２０を図解する。このシステム２２０は、ウェアラブル・コンピュータ・デバイス２２２の形態で示されている。このウェアラブル・コンピュータ・デバイス２２２は、側部アーム２２３、中央フレーム支持体２２４、及びノーズピースを有するブリッジ部を含み得る。図３Ｂに示される例においては、中央フレーム支持体２２４は、側部アーム２２３を接続する。このウェアラブル・コンピュータ・デバイス２２２は、レンズ要素を包含するレンズ・フレームを含まない。このウェアラブル・コンピュータ・デバイス２２２は、搭載コンピュータ・システム２２６及びビデオ・カメラ２２８（例えば図１及び図２に関して説明したそれらのようなもの）を更に含み得る。
【００４２】
このウェアラブル・コンピュータ・デバイス２２２は、側部アーム２２３又は中央フレーム支持体２２４のうちの一方に結合し得る単独のレンズ要素２３０を含むこともある。このレンズ要素２３０は図１及び２に関して説明した表示のような表示を含むこともあり、コンピュータ生成グラフィックを物理的世界のユーザーの視野の上に重ねるように構成し得る。一つの例においては、単独のレンズ要素２３０を延長側部アーム２２３の内側（即ち、ユーザーに着用されたとき、ユーザーの頭部の一部に露呈される側）に結合し得る。この単独のレンズ要素２３０は、ウェアラブル・コンピュータ・デバイス２２２がユーザーにより着用されたとき、ユーザーの眼に対して前方若しくは近傍に位置し得る。例えば、図３Ｂに示すように、単独のレンズ要素２３０は中央フレーム支持体２２４の下に配置し得る。
【００４３】
図４は、例示的コンピュータ・ネットワーク・インフラストラクチュアの模式図を図解する。システム３００においては、デバイス３１０は通信リンク３２０（例えば、有線又は無線接続）を用いて遠隔デバイス３３０と通信する。このデバイス３１０は、データを受信して、このデータに対応又は関連する情報を表示することができる任意の形式のデバイスとし得る。例えば、１０デバイス３１０は、ヘッドアップ・ディスプレイ・システム、例えば図１−図３Ｂを参照して説明した頭部装着型デバイス１０２、２００又は２２０とし得る。
【００４４】
このように、デバイス３１０は、プロセッサ３１４及びディスプレイ３１６から成るディスプレイ・システム３１２を含み得る。ディスプレイ３１０は、例えば、光学シースルー方式ディスプレイ、光学シーアラウンド方式ディスプレイ、又はビデオ・シースルー方式ディスプレイとし得る。プロセッサ３１４は遠隔デバイス３３０からデータを受信して、このデータをディスプレイ３１６に表示するように構成し得る。プロセッサ３１４は任意の形式のプロセッサ例えばマイクロ・プロセッサ又はデジタル信号プロセッサなどとし得る。
【００４５】
デバイス３１０は、搭載データ・ストレージ、例えばプロセッサ３１４に接続されたメモリ３１８を更に含むこともある。メモリ３１８は、ソフトウェアを記憶することがあり、これは例えば、プロセッサ３１４によりアクセスされて実行することができる。
【００４６】
遠隔デバイス３３０は、ラップトップ・コンピュータ、携帯電話又はタブレット・コンピュータ、その他を含めてデータをデバイス３１０へ送信するように構成されている任意の形式のコンピュータ又は送信機であることがある。遠隔デバイス３３０及びデバイス３１０は、通信リンク３２０を有効にするためのハードウェア、例えばプロセッサー、送信機、受信機、アンテナ、その他を含み得る。
【００４７】
図４においては、通信リンク３２０は無線接続として図解されているが、有線接続も使用し得る。例えば、通信リンク３２０は、有線シリアル・バス、例えばユニバーサル・シリアル・バス又はパラレル・バスである場合がある。有線接続は、知的所有権の接続である場合もある。通信リンク３２０は、幾つかある他の可能性の中でも、例えば、ブルートゥース（登録商標）無線技術、ＩＥＥＥ８０２．１１（何らかのＩＥＥＥ  ８０２．１１改訂版を含む）に記載された通信プロトコル、セルラー技術（例えばＧＳＭ、ＣＤＭＡ、ＵＭＴＳ、ＥＶＤＯ、ＷｉＭＡＸ、又はＬＴＥ）又はＺｉｇＢｅｅ（登録商標）技術を用いる無線接続である場合もある。遠隔デバイス３３０はインターネットを介してアクセス可能な場合があって、特定のウェブ・サービス（例えば、ソーシャル・ネットワーキング、写真共有、アドレス帳など）と関連したコンピュータ・クラスターを含むことがある。
【００４８】
図５Ａ、図５Ｂ、及び図６は、本は開示事項の態様により、データを受信して送信して、及び表示するための例示的システム４００を図解する。システム４００はウェアラブル・コンピュータであり、上述の構成に含まれる同様な構成要素の多くを含む。図５に示されるデバイス４１０は、ユーザーの頭部に装着可能なように構成されている。後に更に詳細に説明するように、デバイス４１０は、ユーザーの頭部におけるデバイス４１０の望ましい嵌合を提供するバンド４１２を含む。デバイス４１０は、延長アーム４１４を更に含み、これはバンド４１２の一部分からディスプレイ要素４５４を含むそのディスプレイ端部４１６へ延伸する。延長アーム４１４は、デバイス４１０がユーザーにより着用されたとき、延長アーム４１４に搭載されたディスプレイ４５４がユーザーの眼に隣接して、少なくともその眼のユーザーの視線内に位置することができて、ユーザーにより視認可能なそこに呈示された画像を形成するように構成されている。このように、延長アーム４１４はデバイス４１０の少なくとも一つの操作、即ち、画像をユーザーに呈示することを実行するように構成されている。付加的な操作は、延長アーム４１４を通じて実行することもでき、これはタッチ式入力４７０の形態で入力デバイスを含むこともでき、これはユーザーにアクセス可能であり、タッチ入力ジェスチャーを実行させて、デバイスアセンブリ４１０の制御機能、又はデバイス・アセンブリ４１０に接続若しくは通信する他の電子デバイスの機能を実行する。
【００４９】
バンド４１２は、図５においては、中央部分４３０と、この中央部分４３０の両側から離間して延出する延長アーム４４０Ａ、４４０Ｂを含んで示されている。中央部分４３０はノーズピース４２０を含み、これは、装着者の鼻の上に載せられるように構成されており、中央部分４３０が側部アーム４４０Ａ、４４０Ｂのための中央支持を与え、これはそこから均一に延伸することができるか、或いは、少なくともそこから均一に延伸しているように見えることができ、中央部分４３０と側部アーム４４０Ａ、４４０Ｂとの間の移行領域は、それらの間の屈曲若しくは湾曲を含む。ノーズブリッジ４２０は、中央部分４３０から延出する一対のブリッジ・アーム４２２を含むことができる。図５及び図６に示されるデバイス・アセンブリ４１０の実施形態の図においては、ブリッジ・アーム４２２は、中央部分４３０から下方へ延出している。他の図面におけるように、図５に示されるデバイス・アセンブリ４１０の向きは、ユーザーにより着用されて、ユーザーの頭部が中立の直立した位置にあるときのデバイス４１０の向きと一致する。中央部分４３０から下方へ延出するブリッジ・アーム４２２の説明は、そのような参照フレームにおいてなされ、本説明の目的のためになされる。他の任意の相対的な参照方向に関する説明も同様な目的のためになされ、特に明記しない限り、本開示事項に関して何ら限定することを意図していない。
【００５０】
ブリッジ・アーム４２２は、それらの上にそれぞれのパッド４２４を含むことができ、これは着用者の鼻の部分に置かれるように位置することができる。パッド４２４は、快適さのためにアーム４２２よりも柔らかい材料から形成することができる。更に、パッド４２４が形成される材料は可撓にすることができるか、或いは、ユーザーの鼻の表面に沿った滑りを防ぐ質感を持たせることができる。ブリッジ・アーム４２２は、ユーザーの鼻における快適な嵌合若しくは把持を更に提供するために可撓にすることができる。更に、ブリッジ・アーム４２２は、屈曲可能及び再配置可能であって、パッド４２４の位置をユーザーに最も適合させるように変化させることができる。これは中央部分４３０に対して、一緒により近接した、又は、より離間した、又は、前後の動きを含むことができ、これは、中央部分４３０の高さ、ひいては延長アーム４１４及びそのディスプレイ４５４の位置をユーザーの眼に対して調節することができる。
【００５１】
ディスプレイ及びそれのその他の構造の更なる調節も延長アーム４１４をバンド４１２へ取り付けるのに用いる構造も、上述した実施形態におけるそれらと同様にすることができる。他の実施形態においては、アーム及びパッドに類似した構造を中央部分４３０に一体的に形成することができると共に、図示の実施形態に比べて、ノーズブリッジ４２０のより広いかより狭い領域がユーザーの鼻に接触するように構成することができる。従って、デバイス４１０をユーザーの頭部に着用して、ノーズピース４２０をユーザーの鼻の上に載せるようにすることができ、側部アーム４４０Ａ、４４０Ｂは、ユーザーのそれぞれのこめかみ上に、かつ、隣接する耳の上に延伸する。デバイス４２０は、例えばブリッジ・アーム４２２の調節、又は、以下に説明する他の調節によって、ディスプレイ要素４５４がユーザーの眼の一方の視野内に適切に位置するように構成することができる。一つの位置においては、デバイス４１０はユーザーの頭部に位置することができ、ブリッジアーム４２２はディスプレイ４５４をユーザーの視野内の位置に配置するように調節されるが、ユーザーは、ディスプレイ上の画像を完全に見ることができるように、その両目を上方へ向けねばならない。
【００５２】
側部アーム４４０Ａ、４４０Ｂは、それぞれのこめかみに沿って、又は、ユーザーのそれぞれの耳の領域において、ユーザーの頭部に接触するように構成することができる。側部アーム４４０Ａ、４４０Ｂは、中央部分４３０の反対側にそれぞれの自由端４４４を含む。自由端４４４は、デバイス４１０を着用するとき、ユーザーの耳の近傍に位置するように配置することができる。図５及び図９に示すように、中央部分４３０及び側部アーム４４０Ａ、４４０Ｂは、一般に「Ｕ」字形状を有することがある。この例では、Ｕ字形状は非対称である。この非対称であることは、一つには、側部アーム４４０Ａ、４４０Ｂの自由端４４４Ａ、４４４Ｂの構成が異なるためである。図示のように、自由端４４４Ａは、システム４００のための回路及び／又は電源（例えば、取り外し可能であるか充電式バッテリー）を収容するように拡張されていることがある。この二つの自由端の構成は、自由端４４４Ｂが回路及び／又は電力供給デバイスを収納するように変えられることもある。
【００５３】
拡張された自由端４４４Ａは、延長アーム４１４の自由端に対してバランシング・ウェイトを与えるように構成及び配置することができる。延長アーム４１４はユーザーの耳の前方に配置され、それはその重量の一部がユーザーの額の上に支持されるようにすることができる。イヤホーン４４６の形態でユーザーの耳の背後に重量を加える（又は、重量をユーザーの耳の背後へ移す）ことにより、その耳は、延長アーム４１４の重量をイヤホーン４４６の重量に対して均衡させる支柱になる。これはユーザーの鼻の上で重量の一部を除去することができるので、より多くの快適性と、ユーザーの鼻における下方へのノーズピース４２０の潜在的な滑りが低減された潜在的なより確実な適合が与えられる。拡張された自由端４４４Ａ内の構成要素、例えばバッテリー又は様々な制御回路は、デバイス４１０にとって望ましい重量配分に寄与するために配置されることができる。例えば、より重い構成要素（例えばバッテリー）は、側部アーム４４０Ａにおける延長アーム４１４へ向かって又はそこから離間して配置して、重量配分を調節することができる。或る実施形態においては、重量の大部分はユーザーの耳によって支持することができるが、若干の重量は依然として鼻によって支持されて、デバイスに確実な感触を与え、中央部分４３０を額上の望ましい位置に保ち、ディスプレイ４５４にとって望ましい位置を維持するようにすることができる。或る実施形態においては、デバイス・アセンブリ４１０の重量の５５％と９０％との間をユーザーの耳によって支持することができる。
【００５４】
バンド４１２は、充分な範囲に亘って及び適切な量の力の下で弾力的に変形して、様々な大きさのユーザーの頭部における確実な適合を与えるように構成することができる。或る例においては、バンド４１２は、少なくとも約９０％の成人の頭部に快適かつ確実に適合するように構成された。これを達成するためには、図９に図示されるように、バンド４１２は、弾性的に変形（若しくは弾力的に変形）して、自由端４４４Ａと４４４Ｂとの間の間隔４９６が初期状態からの力の下で増大でき、即ち、屈曲されたときの間隔４９６２に対して少なくとも４０％かつ最大約５０％の非屈曲間隔４９６１になるように構成することができる。他の例では、間隔４９６１は５０％より多く増大することができる。自由端４４４Ａと４４４Ｂとの間の初期間隔４９６１は、バンド４１２が着用されるように意図された最小の頭部寸法に対して普通よりも小さく構成することができ、間隔４９６は少なくとも若干（例えば、約５％まで）増大して、自由端４４４Ａ及び４４４Ｂの屈曲は、小さな頭部寸法を有するユーザーにより着用されたときでさえ、互いから離間して、ユーザーの頭部の側部へ加えられる或る程度の圧力をもたらす。
【００５５】
更にバンド４１２は、例えば、充分なスプリング係数に対するその形態により、バンド４１２が比較的に大きな頭部寸法のユーザーへ適合するように拡張したときに、バンド４１２によりユーザーの頭部の側部へ加えられる圧力が、着用するときに痛みを引き起こしたり或いはデバイス４１０の着脱を困難にするほど大き過ぎることがないように、構成することができる。特定の特性を有する異なる材料を、バンド４１２の望ましい屈曲特性を与えるために異なる形態で使用することができる。一つの例においては、バンド４１２は、約０．００５と０．０２  Ｎ／ｍｍとの間の、他の例では約１／１００  Ｎ／ｍｍの、上述のような拡張についてのスプリング係数を持つことができる。典型的な拡張のためのスプリング係数が与えられると、バンド４１２は、上述のように、約０．３  Ｎと１．２  Ｎとの間の力により、約１５６ｍｍの初期間隔４９６１から約２１６ｍｍへ拡張することができる。他の例では、そのような拡張は、約０．６  Ｎの力によることができる。
【００５６】
バンド４１２は、柔軟な内側部分４３８と弾力的な外側部分４４８とを含むように構成することができる。内側部分４３８は、ユーザーの頭部に接触するように意図されたバンド４１２の任意の部分を含むことができる。図示の特定の実施形態においては、内側部分４３８は、バンド４１２の全ての内面４３９を規定して、ユーザーの頭部との接触がそれに沿ってなされるバンド４１２の領域に関係なく、内側部分の柔軟な材料がユーザーの頭部に接触することを確実にすることができる。内側部分４３８は、ユーザーの頭部におけるバンド４１２の適合の快適さを増大する柔軟性の度合い与えることができる一方、その一般的な形状を保持できる任意の材料から製作することができる。適当な材料は、様々なフォーム、例えばフォーム・ラバー、ネオプレン、天然又は合成革、及び様々なファブリックを含む。或る実施形態においては、内側部分４３０は、射出成型又は成型ＴＰＥから製作されている。内側部分４３０は、例えば、ＧｒｉｌＡｍｉｄ  ＴＲ９０を含めて様々なナイロンから製作することもできる。内側部分４３０の材料の柔軟性は、材料のデュロメーターにより測定することができる。或る例では、内側部分４３８は、３０と７０との間のデュロメーターを有するＴＰＥから製作することができる。内側部分４３８は、それを通じる中空通路又は内面４３９の反対側で内側部部の中に形成されたチャンネルを有して形成するすることもできる。そのような通路又はチャンネルは、延長アーム４１４に関連した何らかの配線を経路付けるために用いることができる。例えば、上述のように、バッテリーはバンド４１２の拡張された自由端４４４Ａに収容することができ、これは延長アーム４１４の内部構成要素をそれらのための電力を供給するように接続することができる。この接続は、内側部分４３８を通るチャンネル又は中空通路を経由して配線することによりなすことができる。
【００５７】
バンド４１２の外側部分４４８は、弾力的可撓性材料、例えば金属又はプラスチックから製作することができる。一般に、そのような材料の性質は、外側部分４４８がバンド４１２についての望ましい形状を維持することができ、一方、バンド４１２が拡張できてユーザーの頭部に適合する柔軟性を可能としつつ、ユーザーの頭部へ心地よい圧力を加えて、バンド４１２をユーザーの頭部に保つことを支援するものでなければならない。外側部分４４８は、大きな頭部を有するユーザーにより着用されることにより、バンド４１２の形状が単純に恒久的に変形しないような充分に高い閾値まで弾性的に変形することができる。外側部分４４８のために満足できる材料は、金属、例えば、アルミニウム、ニッケル、チタニウム（グレード５チタニウムを含む）、様々な鋼（ばね鋼、ステンレス鋼又はその種の他のものを含む）、又は、これらと他の材料とを含む合金を含む。外側部分４４８の厚さは、使用される材料に依存して、望ましい柔軟性特性を与えるように調整することができる。或る例においては、上述したバンド４１２についての望ましい適合と柔軟性特性は、外側部分４４８のために約０．８  ｍｍと１．８  ｍｍとの間の厚さのグレード５チタニウムを用いて達成することができる。
【００５８】
内部部分４３８は、外側部分４４８によって形成されたチャンネル内に少なくとも部分的に適合するようなプロファイルを有することができる。或る例においては、内側部分４３８は、外側部分５４８の概ねＵ字型の断面プロファイルにより形成されたチャンネル内に適合するように、大きさを設定することができる。そのようなチャンネルは、その中のバンド４１２の何らかの配線を受け入れるように、又は、そのような配線を支持するように内側部分４３９内に形成された部分的に開放されたチャンネルを閉止するように構成することができる。
【００５９】
図５に示すように、側部アーム４４０Ａは、それがユーザーの耳の後の部分に沿って屈曲するように、弧状若しくは湾曲した区画を含むことができる。
眼鏡と同様に、このような屈曲の特定の形状は、屈曲の大きさ、それが延出する耳の周りの距離に含まれる多くの方式で変化することができ、いくらかでも耳の外側に実際に保持される。側部アーム４４０Ａにおける屈曲は、拡張された自由端４４４Ａに形成された連続的形状へ融合することができ、かつ、拡張された自由端４４４Ａが耳の近傍の背後のユーザーの頭部の一部に接触して位置できるように構成することができる。屈曲４４６は弾性的に変形可能であり、頭部の異なる大きさ及び形状が、そのような適合により収容されることができる。そのような実施形態においては、拡張した自由端４４４Ａは内側部分４３８と一体的に形成することができ、その部分内に内部支持体を含むことができこれは、外側部分４４８を越えて延出する。そのような内部支持体は、内部エレクトロニクス・ハウジングを含むことができ、これはデバイス４１０に関連したバッテリー又は電子回路を含むことができる。この内部支持体は弾力的部材、例えばスプリング要素（図示せず）も含むことができ、着用者の頭部に対するバンド４１２の可撓性及び保持圧を与えることを助ける。このようなスプリング要素は可塑的に変形可能とすることもでき、拡張された自由端４４４Ａの位置のユーザー調整を可能にする。アーマチュアー・ワイヤの長さは、そのような特性を与えるのに用いることができる。拡張された自由端４４４Ａ内の任意の内部支持体は内部部分４３８の領域へ延伸することができ、これは外側部分４４８の内部にあってその付加的な支持を与える。
【００６０】
延長アーム４１４は、例えば側部アーム４４０Ａに沿ってなどバンドの長さに沿っても延出できるように形状付けることができる第１の部分４７６において、バンド４１２から下方へ延出する第１の部分４７６を含む。第１の部分４７６は更にバンド４１２から離間して、ジョイント４５６により第１の部分４７６へ接続されたエルボー部分４５０へ延出するように形状付けることができる。エルボー部分４５０は、ジョイント４５６の周りのエルボー部分４５０の回転により調節できるアーム４７６に対する角度においてディスプレイ４５４を支持する。図５に示される例においては、延長アーム４１４の第１の部分４７６は、僅かに湾曲することができるので、側部アーム４４０Ａの同様な湾曲部分に沿って延伸する。そのような湾曲は延長アームの上で続くことができ、側部アーム４４０Ａが中央部分４３０へ移行するにつれてバンド４１２が内側へ湾曲する。延長アーム４１４はバンド４１２の垂直下方に位置することができ、ディスプレイ４５４がユーザーに対して視認可能であるように、バンド４１２はユーザー視線の外側に留まることができる。
【００６１】
デバイス４１０は、バンド４１２と延長アーム４１４とが異なったユニットである外観を与えるように構成できる一方、延長アーム４１４はバンド４１２の少なくとも一部の部分として形成することができる。例えば、バンド４１２が内側部分４３８及び外側部分４４８を含む上述のバンド構成では、延長アーム・ハウジング４５２の一部は、図１０に示すように、内側部分４３８と一体的に形成することができる。そのような例においては、延長アーム４１４の内部部品、例えば回路基板、論理ボード、又はその種のものは、ハウジング４５２の関連部分がそうすることができるように、内部部分４３８へ延出することができる。
【００６２】
他の例においては、延長アーム４１４のハウジング４５２は、拡張された自由端４４４Ａの内部で、例えば内部部材によりハウジング・ユニットへ接続することができる。内部部材は、例えば可撓性要素、接着材又は一体的形成を用いて二つの間で接続されることがある。従ってハウジング４５２、内部ハウジング・ユニット、及び接続部は、他の材料（例えばＴＰＥ等）によって被覆することができ、実質的に均一な外観を与えて、バンド４１２の内部分４３８の可視的部分を形成する。視覚的特徴、例えば分割線、レリーフ線、又はその種のものは、必要に応じて、個別の要素の視覚的外観を与えるために、そのようなユニット４３２の形状に含まれることができる。
【００６３】
バンド４１２がその部分に沿って概ね剛な延長アーム４１４に一体的に形成されているか、さもなければ接続されている実施形態においては、バンド４１２は可撓に製作されているが、延長アーム４１４に取り付けられているところで剛に製作することもできる。図示の例では、これが側部アーム４４０Ａの一部に沿って起こる場合がある。この例においては、これはバンド４１２を形成するのに望ましいことがあり、その可撓性は一般に上述したように、大部分は中央部分４３０の内部で生じるか、又は、中央部分４３０とアーム４４０Ａ、４４０Ｂの間の移行の領域において生じる。
【００６４】
そのような構成は、幾つかの方式により達成することができる。例えば、側部アーム４４０Ａは、剛な延長アーム４１４との接続によってより剛に製作される。そのような実施形態においては、アーム４４０Ａと４４０Ｂとがユーザーの頭部に沿ってより類似した印象を与えるように、同様に側部アーム４４０Ｂを剛に作成することが望ましいこともある。これは、構造的部材、例えば、内側部分５３８の内側のワイヤ等の剛な部分の剛な部分を組み立てることによってなすことができる。更に、外側部分４４８は、側部アーム４４０Ａ及び４４０Ｂをより剛にするように構成することができる。例えば、外側部分４４８は、外側壁４５９に対して内方に延伸する壁４８０を有するＵ字型断面プロファイルを持つことができる。壁４８０は、側部アーム４４０Ａ及び４４０Ｂに沿って存在することができ、又は、中央部分４３０に存在していないか、中央部分４３０をより剛にしないために、より小さい量だけ内方へ延伸することもできる。更に、図６に示すように、外側部分４４８を含めてバンド４１２は、外側壁４５９が中央部分４３０の中央の方へ向かってより狭くなるようにテーパー状にすることができる。更に、外側部分４４８の材料の厚さは、中央部分を比較的により可撓にするために、バンド４１２の中央部分４３０の部分に沿ってより小さくすることができる。
【００６５】
細長くされて、一般にディスプレイ軸を規定するディスプレイ４５４は、ジョイント４５６に関して第１の部分４７６に対するエルボー部分４５０の回転により、例えば約１００°から約１２５°の範囲内で調節することができる角度において、第１の部分４７６に対して延出することができる。第１の部分４７６の形状は図面においては、そのような角度が測定される方向へ湾曲した形状を有するように図示されているが、そのような測定は第１の部分の任意の部分に対する接線に関して、例えばジョイント４５６へ向かうその端部に沿ってなすことができる。他の例においては、ディスプレイ４５４の調節角度は、約２０°の範囲内又は１６°以下の範囲内にすることができ、延長アーム４１４の第１の部分４７６に対して約１９５°と１１５°との間に位置するそのような範囲の中間位置にある。ユーザーにより着用されるときそ、ジョイント４５６は延長アーム４１４に位置することができ、これは実質的に垂直軸に沿って回転することができる。換言すれば、図示の実施形態においては、バンド４１２は、面を一般に規定するＵ字形状に形成される。このような面は近似的なものと考えることができ、バンド４１２の残りに対して垂直に置換するバンド４１２における任意の屈曲を可能とする。ジョイント４５６は、エルボー部分４５０が他の実質的に平行な面に沿って、又は、同一の面に沿って回転することができるように構成することができる。
【００６６】
図７及び図８に示すように、そのような調節はディスプレイ４５４の位置決めに用いて、その上に呈示される画像がデバイス４１０の着用者によって快適に視認することができるようにすることができる。図示のように、軸４９２に関するエルボー部分４５０の回転は、表面４６０をユーザーの眼４９０に対してより近づけるように、又は更に遠ざけるように移動を生じさせることができる。これはユーザーがディスプレイ４５４をその上に呈示された画像の快適な視認のために調節することを可能とし、かつ、ユーザーが、ディスプレイ４５４が例えばユーザーの額又は睫毛と接触しないように、ディスプレイ４５４を位置決めすることを可能にすることができる。更に、ディスプレイ４５４の或る形態及び特定の応用においては、ユーザーの眼が中立（若しくは前方視）位置にあるときに、表面４６０の内縁４６２をユーザーの瞳４９１の外側に位置させるように、ユーザーがディスプレイ４５４の横位置を調節することを可能にすることが望ましいであろう。
【００６７】
図８に示すように、デバイス４１０が着用されるとき、ディスプレイ４５４’は、着用者の瞳４９１の外側縁（線４９４によって示される）を越えて少なくとも部分的に延出するように配置されることもある。ジョイント４５６は、ユーザーがエルボー部分４５０を回転させて、ディスプレイ４５４を眼４９０から外方へ移動させながら、また距離４９８だけ横方向成分に沿って移動させ、ユーザーの眼４９０が図８に示される中立位置にあるときに、端４６２がユーザーの瞳の外側の位置へ移動することを可能にすることができる。
【００６８】
更に、エルボー部分４５０と第１の部分４７６との間の調節は、第１の部分４７６が接続されたバンド４１２の可撓性に起因して中央部分４３０又はノーズピース４２０に対する第１の部分４７６の移動を補償することができる。図９に示すように、バンド４１２が撓んで自由端４４４Ａと４４４Ｂとの間の距離４９６が増大したとき、側部アーム４４０Ａ及び４４Ｂは回転することができ、バンド４１２が撓まないときのそれらの位置に対して平行移動することができる。従って、これは延長アーム４１４の第１の部分４７６の同様な回転及び平行移動を引き起こす。そのような運動は、延長アーム４１４の形状に依存して、エルボー部分４５０及びディスプレイ４５４の対応する回転及び平行移動を引き起こす。図示の例においては、ディスプレイ４５４はバンド４１２の中心４３０１へ向かって内方へ、かつ、ユーザーの眼から離間して移動される。
バンド４１２及び／又は延長アーム４１４の他の構成は、ディスプレイが中央部分４３０に対してより近接して、ひいてはユーザーの眼に対してより近接して移動するようにすることが可能である。
【００６９】
バンド４１２の撓みからのディスプレイ４５４の回転及び平行移動は、ディスプレイ４５４を不利な位置に、例えばユーザーの眼に近過ぎるか、或いは、上述したように、縁４６２がユーザーの瞳４９０の内方へ整合又は位置させるように移動させることがある。このような場合には、バンド４１２の撓みに起因する運動に対処して、より有利な位置にディスプレイ４５４を移動させるために、エルボー部分４５０はジョイント４５６に関して回転することができる。
【００７０】
第１の部分４７６とエルボー部分４５０との間のジョイント４５６は、エルボー部分４５０が第１の部分４７６に対して配置される位置を維持するために充分な摩擦の内部ヒンジを含むことができる。図面に示すように、第１の部分４７６及びエルボー部分４５０は均一な外観を与えるように構成することができる。第１の部分４７６及びエルボー部分４５０は、ジョイント４５６の位置に関係無く、延長アーム４１４の外面４７５の安定した湾曲の外観に更に構成することができる。更に、図１１に示すように、第１の部分４７６の関節面４６４Ａは、外面４５３で最先端４６６を規定することができる。関節面４６４Ａは、外面４７５と交差するように構成することができ、最先端４６６は滑らかな湾曲の外観を与え、これはその外側縁におけるよりもエルボー部分４５０に重なるその頂点を有する。このような構成は、関節面が延長アーム４１４の例示的な複合的湾曲外面４７５を有するより波状の交差点を形成する回転の単純な面である場合よりも、より視覚的な見栄えの良さ及び均一な外観を与えることができる。関節面４６４Ｂは、二軸隣接面４５３に沿って凸面である表面から、一つの軸に沿って凸面であり、他方に沿って真っ直ぐである表面までの移行部として示されている。関節面４６４Ａは関節面４６４Ｂの陰画像となることができ、これは最先端４６６の望ましい外観を促進することができる。
【００７１】
他の構造は横方向平行移動調節を達成するために用いることができ、これは縁４６２をユーザーの瞳４９１の外側に位置させることを可能にする。例えば、ディスプレイ４５４は、その望ましい横方向平行移動を許すことができる摺動構成を用いて延長アーム４１４の第１の部分４７６に搭載することができる。これは、トラック又は他の摺動ジョイントを用いて、延長アーム４１４の第２の部分４５０を第１の部分４７６へ結合することにより達成することができる。付加的な摺動又は入れ子式機構は、アイレリーフを与えるためにユーザーの眼に対して向かって及び離間するディスプレイ４５４の動作を与えるために用いることができる。他の構成においては、延長アーム４１４はジョイント４５６を伴わない均一な構造とすることができ、図８に示される第２の部分４５０の回転の面に類似した面での回転を可能とするために、バンド４１２に回転可能に取り付けることができる。従って、そのような回転は、ディスプレイ４５４及び縁４６２の望ましい横方向調節のために横方向成分も有する。
【００７２】
或る実施形態において、ディスプレイ４５４とそれに関係した回路とに関連した画像源は、エルボー部分４５０内に支持することができる。タッチ型入力４７０のための回路は、第１の部分４７６内に配置することができ、ディスプレイ４５４がユーザーの眼の上に位置したとき、第１の部分４７６は、その眼に隣接するユーザーのこめかみに亘って延伸する位置に配置される。
【００７３】
図示の実施形態において、ディスプレイ４５４は概ね透明なプリズムの形態にあり、これは、ハウジング４５２内に配置された電子ディスプレイ部品により生成された画像に重ねられるか、又は、ユーザーの視界に組み合わせられるように構成されている。このようなプリズムは、受け入れ側４５８に投影画像を受け入れて、ディスプレイ４５４の視認側４６０を見ることにより、その画像をユーザーに視認可能にするように構築することができる。これは、ディスプレイ４５４を特定の形状及び／又は材料特性に構成することによりなすことができる。図示の例においては、ディスプレイ４５４の受け入れ側４５８はハウジング４５２に隣接するか、又は、その内部にあり、ハウジング４５２内側の電子部品が、望ましいビデオ画像をプリズム４５４の受け入れ側４５８に投影するように構築されたビデオ・プロジェクターを含むことができるようにされている。そのようなプロジェクターは、必要とあれば、ＬＣＤ、ＣＲＴ、及びＯＬＥＤディスプレイなどの画像源とレンズとを含むことができ、画像をプリズム４５４の適切な領域に合焦させる。ディスプレイ４５４に関連した電子部品は、プロジェクターにそれによって受信されたビデオ信号に基づく望ましい画像を生成させるための制御回路も含むことができる。他の形式のディスプレイ及び画像源は、上述されており、延長アーム４１４へ取り込むこともできる。更に、ディスプレイは、例えば、透明な基板からなるビデオ・スクリーンの形態にすることができる。そのような例においては、画像生成手段は、スクリーンの直接に背後に位置しているＬＣＤディスプレイ、ＣＲＴディスプレイのための回路とすることができ、ディスプレイ全体は透明ではない。延長アーム４１４のハウジングは、ディスプレイ及び画像生成手段の背後に延出することができ、このような実施形態における画像生成手段を包囲する。
【００７４】
ディスプレイ４５４の受け入れ面４５８は、投影画像をデバイスの着用者を囲んでいる環境の眺望と組み合わせるように構築されている。これはユーザーに、周囲の環境とプリズム４５４へ投影された画像との両方を観察させることを可能にする。プリズム４５４及びディスプレイ・エレクトロニクスは、不透明又は半透明画像或いはその組み合わせ画像を呈示して、様々な望ましい画像の組合せを達成するように構成することができる。
【００７５】
図５の実施形態は、延長アーム４１４をバンド４１２に結合されて、着用されたときにユーザーの右眼上に位置するように示しているが、延長アーム４１４の鏡像がバンド４１２の反対側に取り付けて、それをユーザーの左眼上に位置させることが他の同様な実施形態が可能であることにも留意されたい。デバイス４１０の用途又は個々のユーザー選択に依存して、延長アーム４１４をユーザーの頭部の特定の側に配置することが望ましいこともある。例えば、右利きの人は、タッチ型入力４７０との相互作用をより簡単にするために、ユーザーの頭部の右側に延長アーム４１４を有することを好むであろう。他の例においては、人は、ディスプレイ４５４に提示された要素との相互作用を容易にするために優位眼上にディスプレイ４５４を有することを好むであろうし、又は、他の活動に携わっているときに、ディスプレイ４５４に提示された要素から離すようにユーザーの焦点を移すことをより容易にするために非優位眼上にディスプレイ４５４を有することを好むであろう。
【００７６】
上述したように、タッチ型入力４７０の形態の入力デバイスは、望ましくも延長アーム４１４にも含まれる。タッチ型入力４７０は、タッチパッド又はトラックパッド型デバイスとすることができ、これは幾つかの可能性がある中で、容量性検知、抵抗検知又は弾性表面波処理を介して指の位置と動作との少なくとも一方を検知するように構成されている。タッチ型入力４７０は、その表面に対して平行又は平坦な方向で、表面に対して垂線方向で、又はそれらの両方で、指の動作を更に検知する能力があり、また、加えられた圧力のレベルを検知する能力もある場合がある。タッチ型入力４７０は、絶縁他又は誘電体の一つ以上の外層であって、その層は不透明、半透明、又は透明にすることができる外層と、不透明、半透明、又は透明にすることができる一つ以上の導電層の内層とを有するように形成することができる。
【００７７】
実施形態においては、タッチ型入力４７０の外層は、ハウジング４５２の外壁４５３の一部とすることができる。これは、タッチ型入力４７０のハウジング４５２への継ぎ目がないか、又は、均一な編入を与えることができる。ハウジングは、タッチ型入力４７０の内層と、任意の電気構造体、例えばタッチ型入力に関連した制御回路とを包含するための内部キャビティを規定することができる。タッチ型入力４７０の外層は、タッチ型入力４７０の内層の寸法、形状、及び位置によって決定されるように、その一つ以上のタッチ面４７０の形態における全ての壁４５３又は選択された操作可能な領域４７２を含むことができる。ハウジングの一部がタッチ型入力４７０の外層として使用されるならば、ハウジング４５２はプラスチックのような誘電体で製作することができる。
代替的な実施形態においては、タッチ型入力は、個別の要素とすることができ、これは、ハウジング４５２の開口に装着され、そのハウジングは、壁４５３から離間したそれ自身の誘電外層を含み、ラップトップ・コンピュータにおけるタッチパッドに類似した方式で壁４５３を通じるウインドウ又は開口内に操作可能な領域を規定する。
【００７８】
図示の実施形態においては、タッチ型入力４７０は第１の部分４７６に配置されて、ユーザーの頭部の側部の一部の上に重なる概ね垂直な面を規定する。
回路は、屈曲した外面、その他と共に機能するように形成又は調節することができる。従って、タッチ型入力４７０はアセンブリ４１０のユーザーには、アセンブリが着用されているときは、視認できないことがある。
【００７９】
更に、ハウジング４５２は、付加的な入力構造、例えばボタン４８４（図５Ｂに示される）を含むことができ、これはロック又はスリープ機構を実装するか、又はユーザーにオン状態とオフ状態との間のデバイス４１０のための電源を切り換えることを可能にすることを含めて、延長アーム４１４に更なる機能性を与えることができる。ボタン４８４はその表面の下にＬＥＤ照明を更に含むことができ、これはデバイスの状態、例えばオン又はオフ、或いは、スリープ又はアウェイクを示すことができる。ボタンは、オンのときに光が可視であるが、光がオフのときに光源が見えないように構成することができる。
【００８０】
タッチ型入力４７０、又は他の形式の入力は、延長アーム４１４により、例えば関連したウェアラブル構造に搭載された又はその構造内の搭載ＣＰＵ又はＣＰＵにより、或いは、遠隔デバイス、例えばスマートフォン又はラップトップ・コンピュータにより、実行される制御機能を与えるように用いることができる。或る実施形態においては、制御機能に関連した情報は、ディスプレイ４５４上でユーザーにより視認可能である。一つの例では、制御機能は、メニュー項目の選択である。そのような例においては、オプションのリストを有するメニューは、ディスプレイ４５４に呈示することができる。ユーザーはカーソルを移動することができるか、タッチ型入力４７０に沿った指の予め定められた動作によって強調されたオプションを通じてスクロールをすることができ、異なる動作によって選択を確認することができ、選択の承認がディスプレイによって示される。メニュー項目選択の例は、遠隔的にリンクされたスマートフォンにおける着信に応答又は拒否するか、或いは、ディスプレイに呈示された地図におけるスクロール又はズームインをなすかを含むことができる。
【００８１】
更なる入力構造は、延長アーム４１４に含むことができる。図５に示すように、これらはカメラ４２６を含むことができる。このカメラは、ユーザーの判断で写真を撮るか、又は、ビデオを録画するのに用いることができる。このカメラは、デバイスにより使用して、ユーザーの環境のユーザーの眺望の画像を得て、拡張現実機能の実装のために使用され得る。光センサをカメラ４２６に関連して、例えばカメラ４２６と同じハウジング構造内に含めることができる。そのような光センサは、カメラ４２６に関連したファームウェア又はソフトウェアにより用いることができる。図５に示すように、カメラ（及びセンサ）は、エルボー部分４５０内に配置されたハウジング４５２内に含めて、ディスプレイ４５４の視認面４６０に対して実質的に直角をなす方向にと向けることができる。そのような構成では、カメラ４２６はユーザーの視線に沿った方向に面して配置され、かつ、センサはカメラ４２６の視野内の光を検知するように配置される。
【００８２】
一つの実施形態においては、ボタン４７４は、ユーザーからの入力を受け取って、デバイス４１０にカメラ又はデバイス４１０の複数のカメラの一つを用いて画像を撮るように指示するために構成することができる。一つの実施形態においては、デバイス４１０内の制御回路又はソフトウェアは、ユーザーに、選択されたカメラを用いて画像を実際に撮るボタン４７４を用いる入力を受け取る前に、画像を撮る若しくは「写真を撮る」複数のカメラのうちの選択された一つ又は複数を選択させることを可能にすることができる。ボタン４７４は、ハウジング４５２の上面４６７に沿って、延長アーム４１４に配置することができる。そのような位置決めは、ユーザーにハウジング４５２を把持する（例えば、上面４６７から反対側に位置したユーザーの親指を用いて、ユーザーの人指し指でボタン４７４をつまむように圧迫する）ことを可能とする。この行為は、従来のカメラ（例えば、自動露出又はＳＬＲカメラ）でシャッターを起動するのに用いられる動作、又は、人々によってそのような動作を模倣するのに用いられる動作と同様にすることができ、このボタン４７４の使用はユーザーにより直観的にカメラ４７４により写真を撮らせる。更に、上述したつまむ動作で圧迫するボタン４７４の位置決めは、ボタン４７４のより安定な起動をもたらし、ボタン４７４が押されたとき、ユーザーの親指は延長アーム４１４のための支持を与える。このような安定性は、ボタン４７４を低い起動圧力で構成して、そこへ加えられる力が、画像撮像中に延長アーム４１４を動かさないように充分に低くすることにより、更に強化することができる。
【００８３】
上述のように、ハウジング４５２は、タッチ型入力４７０のための回路などの電子回路を包含することができる。更にハウジング４５２は、ディスプレイ４５４、カメラ４２６又はセンサ４２８に関連した画像源のために制御回路、或いは、制御ディスプレイ４５４、タッチ型入力４７０への、又は延長アーム４１４のための他の機能を実行するプロセッサを含む一つ以上の回路基板を含むことができる。ハウジング４５２は、他の回路を駆動するバッテリーなどの電源を更に含むことができる。更にハウジング４５２は、メモリ、マイクロプロセッサ、又は通信デバイス、例えば携帯電話、短距離無線（例えばブルートゥース）、又は遠隔デバイスへの接続のためのＷｉＦｉ回路を含むことができる。更に、任意のそのような回路は、少なくとも、拡張された自由端４４４Ａ内で、例えばその内部キャビティ内で、バンド４１４に含めることができる。
【００８４】
拡張された自由端４４４Ａは、一つ以上の接続接点４８２を含むこともでき、これは、バッテリーを取り外すこと無く、バッテリーを再充電するために、デバイス４１０を電源に接続するのに用いることができる。更にデバイス４１０は、デバイス４１０を外部デバイス（例えばスマートフォン又はコンピュータ）に接続するのに用いることができる接続ポート４８０を含むことができる。ポート４８０は、任意の標準化された接続形式ポート、例えばＵＳＢ、ファイヤー・ワイヤー、サンダーボルト、又は特殊化ポート４８０とすることができる。ポート４８０は、電源をデバイス４１０内のバッテリーを充電するために接続するように構成することもできる。
【００８５】
上述したように、図１０に示されるデバイス４１０の実施形態においては、側部アーム４４０Ａは、側部アーム４４０Ａの拡張された自由端４４４Ａを含むバンド４１２の内側部分４３８の一部で、ユニット４３２に含めることができる。そのような実施形態においては、取り外し可能なバンド４１２１は、内側部分４３８１の残りと外側部分４４８１の全体を含むことができる。バンド４１２１がモジュール４３２で組み立てられるとき、結果として生じる構造は図１-９に関して上述したものと実質的に同様とすることができる。更に、付加的なバンド４１２２は、バンド４１２１のそれと同様に、内側部分４３８２及び外側部分４４８２を含めて設けることができる。しかしながら、バンド４１２２はそれと一体的に形成された一対の縁４３１２を含むように構築することができ、これは一対のレンズ４１８２のそれぞれを受け入れることができる。レンズ４１８２は、サングラス・レンズ、処方眼鏡レンズ、処方サングラス・レンズ等の形態とすることができる。レンズ４１８２は、縁４３１２内で外側部分４４８２の部分と内側部分４３８２の部分との間に捕捉することができる。更に、バンド４１２２の内側部分４４８２は、レンズ４１８２をバンド４１２２から交換できるように取り外し可能にすることができる。内側部分４３８２は、それと一体的に形成されたノーズピース４２０２も含むことができる。この実施形態においては、バンド４１２１とバンド４１２２とは、ユーザーにより交換可能にすることができ、スナップ嵌合構成等によってモジュール４３２へ取り付けることができる。
例えば、モジュール４３２は、例えば、サングラス・レンズを含むバンド４１２２がそれとともに組み立てられるときに、ディスプレイ４５４の輝度などのモジュール４３２の設定を調節するために特定する機構又は他の手段を含むことができる。
【００８６】
本明細書における説明は特定の実施形態を参照してなされたが、これらの実施形態は本開示事項の原理及び応用の単なる例示であることを理解されたい。従って、幾多の修正を例示的実施形態になし得るのであって、添付の請求項によって規定された本開示事項の要旨及び目的から逸脱すること無く、他の構成を案出し得ることを理解されたい。
産業的適用性
【００８７】
本願は、頭部装着又は頭部ウェアラブル・ディスプレイに関し、ユーザーの眼の少なくとも一方の上方又は前方に配置された画像源によってユーザーに画像を呈示するように構成されたものを含む。
【図１】
0006035415.tif 000002
【図２】
0006035415.tif 000003
【図３】
0006035415.tif 000004
【図４】
0006035415.tif 000005
【図５Ａ】
0006035415.tif 000006
【図５Ｂ】
0006035415.tif 000007
【図６】
0006035415.tif 000008
【図７】
0006035415.tif 000009
【図８】
0006035415.tif 000010
【図９】
0006035415.tif 000011
【図１０】
0006035415.tif 000012
【図１１】
0006035415.tif 000013